(57)【要約】      （修正有）【課題】コンクリートブロック積みにより石垣の擁壁を築造する際に、ブロックの背面に間隙を設けてコンクリトを打ち込む為に、ブロックと裏込めコンクリートの間に挿し込んだ裏板と、ブロックの間に着脱自在に装着して、ブロックと裏板との間隙、ブロックの位置を正確に保持し、かつ、ブロック背後への裏込めコンクリート打ち込みの作業効率を向上する。【解決手段】上部に手提げ穴１０を穿設した板状本体１は、下方に突出する間隙保持部４に連なる一方側の長側縁に、裏板当て板２を設けると共に、間隙保持部４の他方側の短側縁に、ブロック頂部当て板３を設け、近接させて穿設した輪ゴム孔７に、ブロック頂部に引っ掛ける掛留め輪ゴム９を着装し、裏板当て板２の上端部に、裏板１８の上端に嵌着させる懸架部６を突設する。又、間隙保持部４がない場合はブロック背面当て板５は省略する。【選択図】  図１
2004263533.tif 000002
【特許請求の範囲】
【請求項１】
上部に手提げ穴１０を穿設した板状本体１は、下方に突出する間隙保持部４に連なる一方側の長側縁に、施工時にコンクリートブロックの背面側に間隙をあけて立設する裏板１８に当接させる裏板当て板２を設けると共に、間隙保持部４の他方側の側縁に、施工時にコンクリートブロックの背面側に当接させるブロック背面当て板５を設け、前記裏板当て板２上部の他方側の短側縁に、施工時にコンクリートブロック頂部背面に当接させるブロック頂部当て板３を設けると共に、近接させて穿設した輪ゴム孔７に、施工時にコンクリートブロック頂部に引っ掛ける掛留め輪ゴム９を着装し、裏板当て板２の上端部に、施工時に前記裏板１８の上端に嵌着させる懸架部６を突設する事を特徴とする石垣施工用コンクリートブロック背後当て具。
【請求項２】
上部に手提げ穴１０を穿設した板状本体１は、一方側の長側縁に、施工時にコンクリートブロックの背面側に間隙をあけて立設する裏板１８に当接させる裏板当て板２を設け、前記裏板当て板２の他方側の短側縁に、施工時にコンクリートブロック頂部背面に当接させるブロック頂部当て板３を設けると共に、近接させて穿設した輪ゴム孔７に、施工時にコンクリートブロック頂部に引っ掛ける掛留め輪ゴム９を着装し、裏板当て板２の上端部に、施工時に前記裏板１８の上端に嵌着させる懸架部６を突設する事を特徴とする石垣施工用コンクリートプロック背後当て具。
【発明の詳細な説明】
【０００１】
［発明の属する技術分野］
本発明は、コンクリートブロック積みにより石垣の擁壁を築造する際、コンクリートブロックの背面に間隙を設けて裏込めコンクリートを打ち込む為に、コンクリートブロックと裏込めコンクリートの間に挿し込んだ裏板と、ブロックの間に着脱自在に装着して、各段毎に裏込めコンクリートの打ち込み完了まで、ブロックと裏板との間隙、ブロックの位置を正確に保持するのに用いる石垣施工用コンクリートブロック背後当て具に関する。
【０００２】
［従来の技術］
従来、コンクリートブロック積みによる石垣等の擁壁は、図９に例示する通り、地表１６下に埋設したブロック積み基礎工事１４の上からコンクリートブロック１１（以下、単にブロックという）を順次一段ずつ積み上げると共に、法面に石塊、石粒等の裏込め材１３を順次積み上げ、積み上げるブロック１１の背後とその背後側の裏込め材１３との間、及びブロック１１の周囲に裏込めコンクリート１２を打ち込む事により、堅固な石垣が構築されていた。
【０００３】
このような石垣を築造する為の従来の施工法は、図８に例示する通り、順次、ブロック１１を積み上げる際、裏込めコンクリート１２を打ち込む間隙となるブロック１１の背後と裏込め材１３との間のブロック背後間隙１５を設計通り一定に保持させる為に、積上げる一段毎に、裏込め材１３の前面に添わせて裏板１８を挿し込み、ブロック１１の背後と裏板１８の間のブロック背後間隙１５に、設計された間隙に合致した厚み（又は幅）の木片１９を嵌入し、人手によりこの木片１９を固定した状態を持続して裏込めコンクリート１２を打ち込んでいた。この木片１９及び裏板１８は、裏込めコンリクートの完全凝固前に抜き取り、後、突き固める。
【０００４】
［発明が解決しようとする課題］
従来の石垣構築の施工手段においては、ブロックと裏板の間に嵌入した木片は簡単に固定では裏込めコンクリートの打ち込みの際に移動するので、施工精度を確保する為には打ち込み工事が完了するまで人手による固定が必要となり、木片を使用する事は、木片が移動してブロックの背面と裏板との間のブロック背後間隙がが変動するのを防止するために人手を掛ける事と、裏込めコンリクートの打込みの際の安全性に問題があった、
【０００５】
本発明は、従来のコンクリートブロック積みによる石垣等の築造において、施工効率及び精度を向上でき、かつ安全に施工できる未開発の石垣築造用ブロック背後当て具を提供する事を目的としている。
【０００６】
［課題を解決するための手段］
上記目的を達成し従来の課題を解決する為に、本発明においては、添付図面の図１に示す通り、上部に手提げ穴１０を穿設した板状本体１は、下方に突出する間隙保持部４に連なる一方側の長側縁に、裏板当て板２を設けると共に、間隙保持部４の他方側の側縁にブロック背面当て板５を設け、前記裏板当て板２上部の他方側の短側縁に、ブロック頂部当て板３を設け、近接させて穿設した輪ゴム孔７に、ブロック頂部に引っ掛ける掛留め輪ゴム９を着装し、裏板当て板２の上端部には、裏板１８の上端に嵌着させる懸架部６を突設する。
【０００７】
また、施工上、裏込めコンクリート１２を打込むブロック１１の背面と裏板１８との間のブロック背後間隙１５が極少に設計され、間隙保持部４が必要でない場合は図５に示す通り省略するので、間隙保持部４の両側縁に設ける裏板当て板２の下部側とブロック背面当て板５は省略される。
【０００８】
［発明の実施の形態］
本発明の実施の形態を実施例に基づき図面を参照して説明する。
【０００９】
［実施例１］
図１に示す斜視図、図２に示す正面図、図３に示す平面図、図４に示す左側面図により一実施例について説明する。上部に携帯する為の手提げ穴１０を穿設した板状本体１は、下方に突出する間隙保持部４に連なる一方側の長側縁に、施工時において、ブロック１１の背面側の裏込め材１３に添わせて挿込みブロック背後間隙１５をあけて立設する裏板１８に、当接させる裏板当て板２を設けると共に、下方に突出させた間隙保持部４の他方側の側縁に、施工時ににおいて、ブロック１１の背面側に当接させるブロック背面当て板５を設ける。前記裏板当て板２上部の他方側の短側縁には、施工時において、ブロック１１の頂部背面に当接させるブロック頂部当て板３を設ける。又、このブロック頂部当て板３に近接させて、押し込む為の切り溝８を設けた輪ゴム孔７を穿設し、施工時において、ブロック頂部に引っ掛けて固定する為の掛留め輪ゴム９を着装する。又、前記の裏板当て板２の上端部には、施工時において、前記裏板１８の上端に嵌着させて固定する懸架部６を突設する。
【００１０】
［実施例２］
図５は、ブロック１１の背面と裏板１８との間のブロック背後間隙１５が殆どない場合の施工の際に使用するブロック背後当て具の他の実施例を示す。この場合、間隙保持部４は不要となるので、間隙保持部４、及びその両側縁の裏板当て板２の下部側とブロック背面当て板５も省略される。
【００１１】
［発明の効果］
本発明は、コンクリートブロック積みにより石垣等を構築する際に使用する事により、積み上げるブロックの背後に設計通り設けた間隙を、施工完了まで正確かつ人手を省略して保持する事ができるものであり、ブロックと裏込めコンクリートの間に挿し込んだ裏板と、ブロックの間に着脱容易に装着して使用する。
【００１２】
従って、ブロックと裏板との間隙、ブロックの位置を正確に保持し、かつ、省力化して、ブロックと裏板との間への裏込めコンクリート打ち込み作業の施工効率及び施工精度を向上する実効を有する。
【図面の簡単な説明】
【図１】本発明に係る一実施例の斜視図である。
【図２】図１に示す実施例の正面図である。
【図３】図１に示す実施例の平面図である。
【図４】図１に示す実施例の左側面図である。
【図５】本発明に係る他の実施例の斜視図である。
【図６】本発明に係るコンクリートブロック背後当て具を使用した石垣築造の施工例を示す縦断面図である。
【図７】図６に示す施工例の平面図である。
【図８】コンクリートブロックを使用する従来の石垣築造の施工例を示す縦断面図である。
【図９】コンクリートブロックを使用する石垣築造の施工後の構造例を示す縦断面図である。
【符号の説明】
１．    板状本体
２．    裏板当て板
３．    ブロック頂部当て板
４．    間隙保持板
５．    ブロック背面当て板
６．    懸架部
７．    輪ゴム孔
８．    切り溝
９．    掛留め輪ゴム
１０．  手提げ穴
１１．  コンクリートブロック
１２．  裏込めコンクリート
１３．  裏込め材
１４．  ブロック積み基礎工
１５．  ブロック背後間隙
１６．  地表
１７．  ブロック積み天端工
１８．  裏板
１９．  木片
【図１】
2004263533.tif 000003
【図２】
2004263533.tif 000004
【図３】
2004263533.tif 000005
【図４】
2004263533.tif 000006
【図５】
2004263533.tif 000007
【図６】
2004263533.tif 000008
【図７】
2004263533.tif 000009
【図８】
2004263533.tif 000010
【図９】
2004263533.tif 000011